(57)【要約】【課題】  紙幣詰りがあった場合の各種状態を、紙幣識別装置単体でも表示することができるようにする。【解決手段】  識別装置本体を収容する取付部材に設けられた保守扉に鍵を設け、その鍵に連動して動作する扉スイッチ８と、点灯・点滅可能な発光ダイオード６ａ〜６ｅからなる状態表示部６とを備え、センサ１５からの検出信号により、搬送機構１１に紙幣の詰りが発生すると、制御部９は、状態表示部６の発光ダイオード６ａを点滅させて異常表示を行わせ、扉スイッチ８が保守扉の開状態を検出すると、状態表示部６が異常表示から異常の発生した金種の表示に切り替えて表示するよう制御する。紙幣の詰りが収納動作中であるか返却動作中であるかは、金種の表示を点灯か点滅かで区別できる。【選択図】  図４
2005309555.tif 000002
【特許請求の範囲】
【請求項１】
挿入された紙幣を識別して収納する識別装置本体と、前記識別装置本体を着脱自在に収容する取付部材と、前記取付部材に開閉自在に設けられ閉じた状態では窓を介して前記識別装置本体に設けられた紙幣の挿入口および状態表示部が露出するようになっている保守扉とを備えた紙幣識別装置において、
前記保守扉に設けられて前記保守扉を閉じた後に施錠できる鍵と、
前記鍵の解錠状態を検出する扉センサと、
前記挿入口に挿入された紙幣を取り込んで収納待機位置まで搬送する搬送機構と、
前記搬送機構の搬送路に配置されて前記紙幣を識別する紙幣識別部と、
前記搬送路における紙幣の詰りを検出するセンサと、
前記センサが前記紙幣の詰りを検出したときに前記状態表示部を異常表示させ、前記扉センサによる前記解錠状態の検出に連動して前記紙幣識別部によって識別された紙幣の金種を前記状態表示部にさらに表示させるように構成された制御部と、
を備えていることを特徴とする紙幣識別装置。
【請求項２】
前記状態表示部は、点灯および点滅可能な表示器を、異常表示用の１つと、前記紙幣識別部が識別可能な金種の数分だけ有していることを特徴とする請求項１記載の紙幣識別装置。
【請求項３】
前記制御部は、前記センサによる紙幣の詰りの検出時期が収納動作中であるか返却動作中であるかに応じて、前記状態表示部の金種に対応した前記表示器の表示態様を点灯または点滅に切り替えるように構成されていることを特徴とする請求項２記載の紙幣識別装置。
【発明の詳細な説明】
【技術分野】
【０００１】
本発明は紙幣識別装置に関し、特に遊技装置等に設置されて使用されるのに好適であり、前面側から挿入された紙幣を識別した後、その紙幣を内部の収納庫に収納または返却する動作の過程で発生した異常内容を表示することができる紙幣識別装置に関する。
【背景技術】
【０００２】
一般に、パチンコ装置等の遊技装置の接客面には、パチンコ玉等の遊技媒体を貸し出す際に遊技者が挿入した紙幣の種別や真贋を識別するための紙幣識別装置が設置されている（たとえば特許文献１参照）。
【０００３】
この紙幣識別装置は、たとえば島内で隣接する遊技機の間に設置された台間玉貨機の上方の領域に装着される箱状の本体を有する。そして、遊技者によってその本体の下部等に開口した挿入口から紙幣が挿入されると、所定の判定基準でその紙幣の真贋を識別し、真券と判定されたものについては内部の収納庫に収納する。このとき、台間玉貨機が連動してその紙幣の額に相当する遊技媒体を排出して遊技者に提供する。収納庫に収納された紙幣を回収するときには、たとえば遊技場の店員が、その紙幣識別装置の本体の正面側に設けられた保守扉に設けられた鍵を解錠して保守扉を開放することにより紙幣を取り出す。一方、挿入された紙幣が偽札であると判定された場合には、内部の紙幣搬送機構を逆転動作させてその紙幣を挿入口から排出して返却する。
【０００４】
このような紙幣識別装置は、挿入された紙幣が本体内部で搬送されるが、その途中で紙幣詰まりが発生することがある。この場合、たとえば遊技場の店員が、解錠して保守扉を開け、中の本体を引き出して詰った紙幣を取り出すようにしている。ここで、その紙幣は、識別が完了して収納動作中のものか、あるいは返却動作中のものかによって、所有者が異なってくる。すなわち、収納動作は、識別が完了してその紙幣の額に相当する遊技媒体が遊技者に提供される段階での動作であるため、その紙幣は遊技場のものであり、返却動作中の紙幣は、遊技者のものである。この紙幣の詰りが何時の時点で発生したかは、複数の紙幣識別装置を制御している主制御装置が当該紙幣識別装置から受けている識別結果によって判断される。
【特許文献１】特開２００３−２７２０１７号公報（図１，図３等）
【発明の開示】
【発明が解決しようとする課題】
【０００５】
しかしながら、紙幣の詰りが実際に発生している紙幣識別装置と詰った紙幣の所有者の確認をする主制御装置とが離れた位置に設置されているため、確認作業が煩わしいという問題点があり、さらに、紙幣識別装置と主制御装置とは、製造メーカーが異なる場合が多いため、インタフェースの仕様上の違いから両者の間で行われる通信にて誤動作する可能性があり、その場合は、紙幣識別装置と主制御装置とで異なるデータを持つことになるので、紙幣識別装置側でも自己の判断結果を単独で表示できる機能が望まれている。
【０００６】
本発明はこのような点に鑑みてなされたものであり、紙幣識別装置単体でも紙幣詰りがあった場合にはそれに対応する各種状態を表示できるようにした紙幣識別装置を提供することを目的とする。
【課題を解決するための手段】
【０００７】
本発明では上記問題を解決するために、挿入された紙幣を識別して収納する識別装置本体と、前記識別装置本体を着脱自在に収容する取付部材と、前記取付部材に開閉自在に設けられ閉じた状態では窓を介して前記識別装置本体に設けられた紙幣の挿入口および状態表示部が露出するようになっている保守扉とを備えた紙幣識別装置において、前記保守扉に設けられて前記保守扉を閉じた後に施錠できる鍵と、前記鍵の解錠状態を検出する扉センサと、前記挿入口に挿入された紙幣を取り込んで収納待機位置まで搬送する搬送機構と、前記搬送機構の搬送路に配置されて前記紙幣を識別する紙幣識別部と、前記搬送路における紙幣の詰りを検出するセンサと、前記センサが前記紙幣の詰りを検出したときに前記状態表示部を異常表示させ、前記扉センサによる前記解錠状態の検出に連動して前記紙幣識別部によって識別された紙幣の金種を前記状態表示部にさらに表示させるように構成された制御部と、を備えていることを特徴とする紙幣識別装置が提供される。
【０００８】
このような紙幣識別装置によれば、紙幣詰りが発生したときに、まず、状態表示部が異常表示を行って異常発生を通知し、異常発生に応じて保守扉が開けられたときには、それに連動して表示内容を増やすように構成した。これにより、紙幣識別装置は、状態表示部に異常表示とともに異常内容を詳細表示させることができ、紙幣詰りがあった場合には紙幣識別装置単体でそれに対応する各種状態を識別結果も含めて表示可能になる。
【発明の効果】
【０００９】
本発明の紙幣識別装置は、紙幣詰りが発生したときの異常表示に加え、保守扉の解錠に連動して紙幣識別部による識別結果を詳細表示するように構成したので、紙幣識別装置単体でも異常内容を知ることができるという利点がある。
【発明を実施するための最良の形態】
【００１０】
以下、本発明の実施の形態を、パチンコ機等の遊技装置に適用した場合を例に図面を参照して詳細に説明する。
図１は本発明による紙幣識別装置の外観を表す斜視図、図２は保守扉を開けたときの状態を示す紙幣識別装置の斜視図、図３は識別装置本体の内部構造を表す中央断面説明図である。
【００１１】
本発明による紙幣識別装置は、図１に示したように、内部に紙幣の収納庫や各種機構部を収容した奥行方向に長い直方体状の識別装置本体１と、この識別装置本体１を遊技装置に取り付ける際に用いられる取付部材２とから構成されている。この識別装置は、たとえば、複数併置されたパチンコ機と、隣接するパチンコ機の間に設置された台間玉貨機と、パチンコ機および台間玉貨機が嵌め込まれた固定式膜板とからなる遊技装置において、固定式膜板の台間玉貨機の上方に穿設された孔に挿通されて、識別装置本体１が固定式膜板の背面に配置され、取付部材２が固定式膜板の正面に配置されるよう固定式膜板に固定される。
【００１２】
識別装置本体１は、取付部材２に着脱自在に収容されており、取付部材２の正面には鍵３の付いた保守扉４が開閉自在に設けられている。保守扉４が閉じた状態では、その保守扉４に開けられた窓４ａを介して識別装置本体１の前面側に設けられた紙幣の挿入口５および状態表示部６が露出するようになっている。
【００１３】
保守扉４に設けられた鍵３は、図２に示したように、開錠および施錠動作に連動して回動する掛止板７を備え、取付部材２の対応位置には、施錠時に回動してきた掛止板７を受け止めて保守扉４を施錠することができる掛止部を備えている。この掛止部の近傍であって鍵３の掛止板７の回転軌跡上には、フォトインタラプタによって構成された扉スイッチ８が設置されている。この扉スイッチ８は、鍵３が施錠位置にあるときには、掛止板７により遮光され、鍵３が解錠位置にあるときには、掛止板７が遮光位置から離脱して受光状態となるようにして、保守扉４の開閉状態を検出するようにしている。
【００１４】
識別装置本体１の内部には、図３に示したように、紙幣識別装置の各種制御を司る制御部９と、紙幣Ｍをその搬送路に沿って収納庫１０に対向する所定の待機位置まで搬送する搬送機構１１と、搬送機構１１の搬送路の挿入口５の近傍にて投入された紙幣Ｍの金種および真贋を識別する紙幣識別部１２と、紙幣Ｍを収納庫１０に押し込んで収納するプッシャ機構１３とが配設されている。搬送機構１１の搬送路において、紙幣識別部１２とプッシャ機構１３との間には、紙幣保留部１４が設けられている。
【００１５】
以上のように構成された紙幣識別装置において、挿入口５から挿入された紙幣Ｍは、搬送機構１１の搬送路に沿って搬送される。その間、紙幣識別部１２にて紙幣Ｍの真贋が識別され、紙幣保留部１４にて一時保留される。挿入された紙幣Ｍが真札であると判定されると、その紙幣Ｍは、紙幣保留部１４からプッシャ機構１３の待機位置まで搬送され、そこに保持される。そして、所定のタイミングでプッシャ機構１３を作動させ、紙幣Ｍを収納庫１０に収納する。一方、紙幣Ｍが偽札と判定されると、搬送機構１１を逆転動作させて紙幣保留部１４に保留されている紙幣Ｍを挿入口５へ返却する。
【００１６】
図４は紙幣識別装置の制御部回りの構成を示すブロック図である。
制御部９は、保守扉４の開閉状態を検出する扉スイッチ８と、紙幣の搬送機構１１と、状態表示部６とに接続され、さらに搬送機構１１に付設された各種のセンサ１５も接続されている。このセンサ１５は、その出力信号をもとに、搬送機構１１の所定位置に設置されて紙幣Ｍがその所定位置を通過したか、もしくは所定時間内にその所定位置を通過したかを制御部９が判断するもので、紙幣詰りを検出するものである。また、この制御部９は、図示はしないが、プッシャ機構１３にも接続されており、さらには、遊技装置の主制御装置とも通信可能に接続されている。
【００１７】
状態表示部６は、点灯および点滅可能な複数の表示器からなり、本実施の形態では、５つの発光ダイオード６ａ〜６ｅによって構成されている。最下部に配置された発光ダイオード６ａは、異常表示用に使われるものであって、たとえば赤色または緑色で発光することができる２色発光ダイオードであり、それ以外の発光ダイオード６ｂ〜６ｅは、たとえば緑色の単色発光の発光ダイオードとしている。この発光ダイオード６ｂ〜６ｅは、紙幣識別部１２が識別可能な金種の数である４金種分有している。
【００１８】
制御部９は、この紙幣識別装置の全体の制御を司るもので、所定の演算処理を行うＣＰＵ（central processing unit）、各種プログラムおよび各種の数値があらかじめ書き込まれたＲＯＭ（read only memory）、そのプログラムがロードされてＣＰＵにより実行されるとともに演算過程および演算結果のデータが読み書きされるＲＡＭ（random access memory）、各種センサ・スイッチ群からのディジタル信号が入出力される入出力インタフェース、これらの各機能要素がそれぞれ接続されるバスライン等から構成されている。ＲＯＭに格納されているプログラムには、状態表示部６を各種表示態様で表示させるための状態表示プログラムが含まれている。次に、この状態表示プログラムの動作について説明する。
【００１９】
図５は状態表示プログラムの処理の流れを示すフローチャート、図６は待機表示を示す説明図、図７は異常表示を示す説明図、図８は異常内容表示を示す説明図であって、（Ａ）は詰った紙幣が１０００円の場合を示し、（Ｂ）は詰った紙幣が２０００円の場合を示し、（Ｃ）は詰った紙幣が５０００円の場合を示し、（Ｄ）は詰った紙幣が１００００円の場合を示している。
【００２０】
状態表示プログラムは、紙幣識別装置が紙幣を受け入れることができる待機状態にあるときには、状態表示部６を待機表示の状態にする（ステップＳ１）。待機表示は、図６に示したように、５つ並んだ発光ダイオード６ａ〜６ｅを緑色で点滅表示させ、その点滅表示を並び方向に順次往復させるようにしている。すなわち、発光ダイオード６ａ〜６ｅは、６ｅ→６ｄ→６ｃ→６ｂ→６ａ→６ｂ→６ｃ→６ｄ→６ｅの順に点灯させ、これを繰り返すようにしている。これにより、紙幣識別装置は、紙幣の受け入れ可能状態にあることを示している。
【００２１】
この待機表示の状態で、紙幣Ｍが挿入されると（ステップＳ２）、搬送機構１１が投入された紙幣Ｍを取り込み、紙幣識別部１２を通して搬送する（ステップＳ３）。その後、紙幣Ｍの搬送路途中でセンサ１５により紙幣の詰りを発生したことが検出されると（ステップＳ４）、状態表示部６に異常状態が発生していることを表示させる（ステップＳ５）。この異常表示は、図７に示したように、最下部に配置された発光ダイオード６ａだけを赤色で点滅表示させる。この状態表示部６の発光ダイオード６ａが赤の点滅表示を行うことにより、紙幣識別装置に紙幣詰りが発生していることを示している。この紙幣詰りの異常表示のデータは、状態表示部６による異常表示と同時に、遊技装置を集中管理している主制御装置においても異常表示されるため、紙幣識別装置に紙幣詰りが発生したことは、遊技場の店員によって直ちに認識することができる。
【００２２】
この場合、遊技場の店員が鍵３を解錠して保守扉４を開け、中の識別装置本体１を引き出して詰った紙幣Ｍを取り出すことになる。この鍵３の解錠は、扉スイッチ８によって検出される。扉スイッチ８の解錠検出によって、保守扉４は開けられたと判断される（ステップＳ６）。次に、紙幣Ｍが詰ったときの状態が収納動作中であるか返却動作中であるかが判断される（ステップＳ７）。収納動作中に紙幣Ｍの詰りが発生したと判断された場合には、詰り金種の点灯表示が行われ（ステップＳ８）、返却動作中に紙幣Ｍの詰りが発生したと判断された場合には、詰り金種の点滅表示が行われる（ステップＳ９）。
【００２３】
たとえば、詰った紙幣Ｍの金種が１０００円の場合、図８の（Ａ）に示したように、発光ダイオード６ａによる赤の点滅表示はそのまま維持されながら、当該金種に対応付けられた発光ダイオード６ｂが、収納動作中では点灯表示され、返却動作中では点滅表示される。詰った紙幣Ｍの金種が２０００円の場合、図８の（Ｂ）に示したように、発光ダイオード６ａの点滅表示に加え、発光ダイオード６ｃが、収納動作中では点灯表示され、返却動作中では点滅表示される。詰った紙幣Ｍの金種が５０００円の場合、図８の（Ｃ）に示したように、発光ダイオード６ａの点滅表示に加え、発光ダイオード６ｄが、収納動作中では点灯表示され、返却動作中では点滅表示される。詰った紙幣Ｍの金種が１００００円の場合、図８の（Ｄ）に示したように、発光ダイオード６ａの点滅表示に加え、発光ダイオード６ｅが、収納動作中では点灯表示され、返却動作中では点滅表示される。
【００２４】
その後、詰った紙幣Ｍは、店員により識別装置本体１が取付部材２から引き出され、識別装置本体１から取り出される。その紙幣Ｍは、状態表示部６に表示された状態表示に従って処理される。
【００２５】
このように、保守扉４が開けられると、状態表示部６は、発光ダイオード６ａよる赤色の点滅表示のみの状態表示から異常発生の原因となる紙幣Ｍの金種表示を加えた状態表示に遷移し、しかも、その金種の表示は、収納動作中であるか返却動作中であるかによって、点灯表示と点滅表示とで区別することができる。これにより、金種表示が点灯表示ならば、詰った紙幣Ｍは、遊技場のものであり、金種表示が点滅表示ならば、詰った紙幣Ｍは、遊技者のものであることが、その場で判断することができるため、詰った紙幣Ｍの所有者がどちらであるかに関して、遊技者との間でトラブルになることがない。
【産業上の利用可能性】
【００２６】
以上、上記の紙幣識別装置をパチンコ機等の遊技装置に適用した場合を例に詳述したが、本発明による紙幣識別装置は、その遊技装置に使用される識別装置に限定されるものではなく、たとえば自動販売機用の紙幣識別装置にも適用できる。
【図面の簡単な説明】
【００２７】
【図１】本発明による紙幣識別装置の外観を表す斜視図である。
【図２】保守扉を開けたときの状態を示す紙幣識別装置の斜視図である。
【図３】識別装置本体の内部構造を表す中央断面説明図である。
【図４】紙幣識別装置の制御部回りの構成を示すブロック図である。
【図５】状態表示プログラムの処理の流れを示すフローチャートである。
【図６】待機表示を示す説明図である。
【図７】異常表示を示す説明図である。
【図８】異常内容表示を示す説明図であって、（Ａ）は詰った紙幣が１０００円の場合を示し、（Ｂ）は詰った紙幣が２０００円の場合を示し、（Ｃ）は詰った紙幣が５０００円の場合を示し、（Ｄ）は詰った紙幣が１００００円の場合を示している。
【符号の説明】
【００２８】
１  識別装置本体
２  取付部材
３  鍵
４  保守扉
４ａ  窓
５  挿入口
６  状態表示部
６ａ〜６ｅ  発光ダイオード
７  掛止板
８  扉スイッチ
９  制御部
１０  収納庫
１１  搬送機構
１２  紙幣識別部
１３  プッシャ機構
１４  紙幣保留部
１５  センサ
Ｍ  紙幣
【図１】
2005309555.tif 000003
【図２】
2005309555.tif 000004
【図３】
2005309555.tif 000005
【図４】
2005309555.tif 000006
【図５】
2005309555.tif 000007
【図６】
2005309555.tif 000008
【図７】
2005309555.tif 000009
【図８】
2005309555.tif 000010